(57)【要約】【課題】  ベッド６のサイドにテーブル板４の奥行き幅となる狭い空きスペースがあれば設置することができ、マットレス６２の上面側からその側面側となるスペースをテーブル板４の昇降ストローク域として設定でき、基板２とは背反する側に設けられたテーブル板４を、基板２を床板６１とマットレス６２間に挟み込み挿入させた設置状態のまま、その高さ位置を自由に調整操作でき、かつ、テーブル板４への不用意な接触があっても位置ズレや回り止め規制ができるようにする。【解決手段】  基板２に立設された昇降可能な支持柱３の上端部に対して、テーブル板４を、基板２とは背反する方向に向けて配設し、床板６１とマットレス６２間に挟み込み挿入された基板２の位置合わせ調整で、ヘッドボード６３の前面または側面に対し選択的に当接させて配置可能に構成する。【選択図】        図７
2015204893.tif 000002
【特許請求の範囲】
【請求項１】
ベッドの枕元に設置されて小物類を置くためのベッド用サイドテーブルであって、
前記サイドテーブルは、床板とマットレス間に挟み込み挿入される基板と、該基板の基端側となる略中央部位に立設された支持柱と、その上端側に取着されたテーブル板とからなり、
前記支持柱を、昇降可能に構成せしめる一方、
前記テーブル板は、前記支持柱を介して、マットレスよりも外側となる空間域にテーブル面が形成され、前記基板とは背反する状態で互いに異方向に向けて配設せしめると共に、
該テーブル板の基端側コーナー部を、床板とマットレス間に挟み込み挿入された基板の位置合わせ調整で、ヘッドボードの前面または側面に対し選択的に当接させて配置可能に構成したことを特徴とするベッド用サイドテーブル。
【請求項２】
請求項１において、前記テーブル板を、前記支持柱を介してマットレス面の上方位置からその側面となる下方位置まで昇降調整可能に構成したことを特徴とするベッド用サイドテーブル。
【請求項３】
請求項１又は２において、前記テーブル板は、前記支持柱からマットレス面側に、そのコーナー部を覆うよう延出せしめた延出面域を有することを特徴とするベッド用サイドテーブル。
【請求項４】
請求項１乃至３の何れかにおいて、前記基板は、板状の矩形パネルにて形成され、前記床板がサイドボードの上端面から面落ちするベッドに使用した際に、その板厚端面がサイドボードの上端部に係止される抜け止め規制板として機能することを特徴とするベッド用サイドテーブル。
【請求項５】
請求項１乃至４の何れかにおいて、前記テーブル板を、前記支持柱に蝶着せしめ、前記基板を床板とマットレス間に挟み込み挿入させた設置状態で、下方に回転ささせて折り畳み可能に構成したことを特徴とするベッド用サイドテーブル。
【請求項６】
請求項１乃至５の何れかにおいて、前記支持柱は、前記基板に設けられる下支柱と前記テーブル板に設けられる上支柱とからなり、それぞれ着脱自在に連結し、該上支柱と下支柱の脱着操作で、前記テーブル板を、前記基板側に向けて反転配置可能に構成し、サイドテーブルを床面に自立せしめたことを特徴とするベッド用サイドテーブル。
【発明の詳細な説明】
【技術分野】
【０００１】
本発明は、めがね、携帯電話、たばこなどの小物類を、就寝時等にベッドの枕元に置いておくことのできるベッド用サイドテーブルに関する。
【背景技術】
【０００２】
一般に、ベッドが棚付きである場合には、就寝時等に、めがね、携帯電話、たばこ、雑誌などといった小物類を置いておくことができるが、棚が付いていないヘッドボードタイプのベッドでは、枕元付近に据え置き型のサイドテーブルを別途用意する必要がある。しかし、据え置き型のサイドテーブルは、ベッドサイドに設置するだけのスペースがなく利用することができなかったり、設置できてもベッドサイドの空間域を専有してしまい邪魔になることも多い。そのためベッドサイドに狭いスペースが有る場合に、そのスペースを利用できるような簡易型のサイドテーブルが望まれている。
ところで従来、ヘッドボードの背面に収納させたテーブル板を着脱自在とし、使用時に取り出してベッドサイドに装着できるようにした簡易型のサイドテーブルを付属させたベッドなるものが知られている（特許文献１の図１、図３参照）。
【０００３】
しかしなかがら、このものは、ヘッドボード（２）の両側背面に角形の連結筒（７）が設けられた固定プレート（９）を取着できるようにし、取着された固定プレート（９）の連結筒（７）内に、テーブル板（４）に設けられた連結アーム（６）の挿入部（８）を挿入することにより着脱自在とし、ベッドの背面側に収納したり、ヘッドボード（２）の側端側にテーブルとして利用できるようにしたベッドに一体的に付属させた構造となっている。
【０００４】
このため、ヘッドボード（２）の背面側に収納スペースが必要となるだけでなく、テーブル板（４）を脱着操作するための操作スペースが必要となり、ヘッドボード（２）を壁面に密着させてベッドを設置できないという欠点を有し、しかも、サイドテーブルとして使用する際にも、テーブル板（４）固有の大きさのスペースに加え、さらにこれとは別に、挿入部（８）を連結筒（７）に抜き差しする操作スペースも必要となり、結局、ヘッドボード（２）の背面側と側面側に操作スペースを要し、ベッドサイドの狭い空きスペースを有効利用して一般的なヘッドボードタイプのベッドに採用することができないものであった。
【０００５】
また、特許文献２に開示された病床用のキャスター付きカウンターテーブルや、特許文献３に開示されたティッシュホルダーなるものが知られているが、特許文献２のものにあっては、可動支柱（６）と固定柱（１４）とを伸縮させてテーブルを昇降可能にできるとする利点があり、特許文献３のものにあっては、Ｌ字状に折曲させた取付け脚（２）を、床板とマットレス間に挟み込み挿入して採用できる利点があるものの、何れのものもベッド上で用いることを前提とし、特に、特許文献３のものものを常設させると、ケース体としてのティッシュ取付架台（１）がマットレス上に突出しているため、寝返りなどした際に架台（１）に手などをぶつけて負傷する危惧がある。
【先行技術文献】
【特許文献】
【０００６】
【特許文献１】特開２０１２−１８７２７９号公報
【特許文献２】特開２００７−００８５７９号公報
【特許文献３】特開２０１０−２７９４５９号公報
【発明の開示】
【発明が解決しようとする課題】
【０００７】
本発明は、上記の如き問題点を一掃すべく創案されたものであって、テーブル板をベッドサイドに配置して用いられるものでありながら、ベッドサイドにテーブル板の奥行き幅となる狭い空きスペースさえあれば設置することができると共に、その上下方向の空きスペースを利用して、マットレス面の上方位置からその側面となる下方位置までをテーブル板の昇降ストローク域として設定することが可能となり、基板とは背反する側に設けられたテーブル板を、支持柱を介して基板を床板とマットレス間に挟み込み挿入させた設置状態のまま、その高さ位置を自由に調整操作することができるだけでなく、春夏秋冬の季節に応じて使用される掛け布団などの寝具状況に合わせて、任意の高さ位置となるマットレスとテーブル板の下面域に形成される空間幅を容易に変更することができ、ベッドサイドの上下空間域を有効的に活用することができる。しかも、テーブル板の基端側コーナー部を、ヘッドボードの前面または側面に対し選択的に当接配置できるので、テーブル板への不用意な接触があっても位置ズレや回り止め規制がなされ、テーブル板上に置かれた小物類の落下を抑止することができるベッド用サイドテーブルを提供することを目的とする。
【課題を解決するための手段】
【０００８】
上記課題を解決するために本発明のベッド用サイドテーブルは、ベッドの枕元に設置されて小物類を置くためのベッド用サイドテーブルであって、前記サイドテーブルは、床板とマットレス間に挟み込み挿入される基板と、該基板の基端側となる略中央部位に立設された支持柱と、その上端側に取着されたテーブル板とからなり、前記支持柱を、昇降可能に構成せしめる一方、前記テーブル板は、前記支持柱を介して、マットレスよりも外側となる空間域にテーブル面が形成され、前記基板とは背反する状態で互いに異方向に向けて配設せしめると共に、該テーブル板の基端側コーナー部を、床板とマットレス間に挟み込み挿入された基板の位置合わせ調整で、ヘッドボードの前面または側面に対し選択的に当接させて配置可能に構成したことを特徴とするものである。
【発明の効果】
【０００９】
本発明は、上記のように構成したことにより、テーブル板をベッドサイドに配置して用いられるものでありながら、ベッドサイドにテーブル板の奥行き幅となる狭い空きスペースさえあれば、引出し付きベット゛であっても何ら開閉機能を損なうことなく設置することができると共に、その上下方向の空きスペースを利用して、マットレス面の上方位置からその側面となる下方位置までをテーブル板の昇降ストローク域として設定することが可能となり、基板とは背反する側に設けられたテーブル板を、支持柱を介して基板を床板とマットレス間に挟み込み挿入させた設置状態のまま、その高さ位置を自由に調整操作することができる。その結果、春夏秋冬の季節に応じて使用される掛け布団などの寝具状況に合わせて、任意の高さ位置となるマットレスとテーブル板の下面域に形成される空間幅を容易に変更することができるだけでなく、マットレス面よりも低い位置にテーブル板を配置したセットも可能とし得て、ベッドサイドの上下空間域を極めて有効的に活用することができ、しかも、テーブル板の基端側コーナー部を、ヘッドボードの前面または側面に対し選択的に当接配置できるので、テーブル板への不用意な接触があっても位置ズレや回り止め規制がなされ、テーブル板上に置かれた小物類の落下を抑止することができる。
【図面の簡単な説明】
【００１０】
【図１】本発明の実施形態に係るベッド用サイドテーブルの正面図である。
【図２】図１の一部破断左側面図である。
【図３】図１の一部破断底面図である。
【図４】テーブル板取付け構造における他の実施例を示すベッド用サイドテーブルの正面図である。
【図５】図４の一部破断左側面図である。
【図６】図４の一部破断平面図である。
【図７】ベッド用サイドテーブルのベッドへの設置状態を示す（Ａ）は斜視図、（Ｂ）は平面図である。
【発明を実施するための最良の形態】
【００１１】
以下、本発明の実施の形態を好適な実施の形態として例示するベッド用サイドテーブルを図面に基づいて詳細に説明する。図１は本発明の実施形態に係るベッド用サイドテーブルの正面図、図２はその一部破断左側面図、図３は一部破断底面図である。これらの図に示すように、１はベッドの枕元に設置され、めがね、携帯電話、たばこなどの小物類を、就寝時等に置いておくことのできるベッド用サイドテーブルであって、該サイドテーブル１は、ベッド６の床板６１とマットレス６２との間に挟み込み挿入される基板２と、該基板２の基端側となる略中央部位に立設された支持柱３と、その上端側に取着されたテーブル板４とを備え、ベッド６の左右何れの側にも設置できるよう勝手違いのない態様で構成される。
【００１２】
基板２は、板状の金属製矩形パネルにて、幅１２ｃｍ、奥行き１８ｃｍの大きさをもって角部が面取り形成された平板２１と、この平板２１の表面に接着剤等により被着された滑り止め用の保護シート２２とからなる。なお、保護シート２２は、マットレス６２の下面に常時圧接された状態で面当てされるので、軟質や硬質の樹脂、布、ゴム等所定の滑り止め機能を有し、マットレス６２を保護する機能を有するシート材が好適である。
この様に基板２を、板状の金属製矩形パネルにて形成すると、床板６１がサイドボード６４の上端面から面落ちするベッドに使用した際に、平板２１の板厚端面がサイドボード６４の上端部に係止され抜け止め規制板として機能させることができる。
【００１３】
支持柱３は、断面コ字状の扁平型に形成された金属製の下支柱３１と上支柱３２とからなり、その開口側同士を対向させリング部材５１を挟んで蝶ネジ５により組付けられている。つまり、下支柱３１は、マットレス６２から突出しないその厚さ幅よりも短く形成されて上支柱３２に外嵌され、上支柱３２は下支柱３１に内嵌された状態で互いに凹凸嵌合することで、スライド（伸縮）自在に組付け係合される。このように、マットレス６２の厚さ幅よりも短く形成された下支柱３１によって、テーブル板４をマットレス６２の側面まで移動すると、テーブル板４の裏面に下支柱３１の先端が、または、基板２に上支柱３２の下端が当接するまでスライドできる。なお、支持柱３を下支柱３１と上支柱３２の２部材で構成したが、３部材でスライド（伸縮）自在に組付け係合するように構成しても良い。
【００１４】
また、下支柱３１には、その中央板面の略中間位置に蝶ネジ５を螺入するためのタップ孔加工されたネジ孔３１１が設けられ、その下端から中央板面をＬ字状に折曲された基板２への取付け片３１２が形成され、上支柱３２には、その中央板面の縦方向に、ネジ孔３１１に螺入された蝶ネジ５の緊緩操作で、昇降（上下移動）可能に組付け固定するための長孔３２１が穿設されており、その上端からＬ字状に折曲されたテーブル板４への取付け片３２２が形成されている。取付け片３１２の基板２への取着は、その基端側端面となる上面中央位置に金属製接着剤にて貼付け固定され、取付け片３２２のテーブル板４への取着は、その基端側端部となる下面中央位置にビス固定により一体化されている。
【００１５】
テーブル板４は、角部が面取り形成された矩形状のテコラパネル材にて、厚さ１．５ｃｍ、幅３５ｃｍ、奥行き２０ｃｍの大きさをもって形成されるが、材質は、木材、金属製曲げ加工材、樹脂材など各種素材を用いて良いことは勿論である。上支柱３２（支持柱３）の取付け片３２２とテーブル板４との取付け位置は、基板２と対面する側に延出せしめた延出面域４１（図３の一点鎖線で示す面域）を有するように、その基端部側から内方側に位置ズレさせた中央部位に取り付けられており、テーブル面域は、この延出面域４１を含めて、テーブル板４の先端部側がマットレス６２よりも外側の空間域に、基板２とは背反する状態で互いに異方向に向けて形成されている。これにより、延出面域４１は、サイドテーブル１をベッド６に設置した際に、その下面域がマットレス６２のコーナー部を覆う高さ位置にセットできるようになっている。
【００１６】
つまり、上支柱３２に形成された長孔３２１の長さ幅が移動ストロークとして設定されており、そこの移動ストローク域は、テーブル板４が、マットレス６２の上方位置からその側面となる下方位置までを昇降移動可能なものとして設定されており、テーブル板４は、基板２を床板６１とマットレス６２間に挟み込み挿入させた状態のまま、この移動ストローク内を蝶ネジ５の緊緩操作による位置変更によって上下位置がスライド調整され、延出面域４１の下面域をマットレス６２に接触させてコーナー部を覆う位置に位置調整できるようになっている。
また、テーブル板４の基端側コーナー部を、床板６１とマットレス６２間に挟み込み挿入された基板２の位置合わせ（位置ずらし）調整で、ヘッドボード６３の前面または側面に対し選択的に当接させて配置できる構成となっている
【００１７】
図４〜図６に示す実施形態は、テーブル板４を上支柱３２（支持柱３）に折り畳み可能に取付けした構成に係るもので、図４はベッド用サイドテーブルの正面図、図５はその一部破断左側面図、図６は一部破断平面図である。これらの図に示すように、テーブル板４は、支持柱３に蝶番３３１を介して蝶着せしめ、基板２を床板６１とマットレス６２間に挟み込み挿入させた設置状態のまま、下方に回転させて折り畳み可能に構成される。
つまり、上支柱３２には、テーブル板４を固定する取付け片３２２に換えて、その上端から延出面域４１側に向けてＬ字状に折曲されて、延出面域４１を回り止めするための受け片３２３が形成され、その基板２とは背反する側に蝶番３３１を取付けするためのブラケット３３が装着されている。
【００１８】
ブラケット３３は、前面部が蝶ネジ５の突出幅よりも大きくなるよう平面視コ字状に形成され、前面部に蝶番３３１が、側面部に蝶番３３２がそれぞれ取着されており、蝶番３３１には、テーブル板４が水平姿勢から垂直姿勢に変姿できるよう下方に折り畳み可能に蝶着される。また、蝶番３３２には、テーブル板４の裏面に係止してその水平姿勢を支持受けした状態で維持し、テーブル板４の折り畳み時に水平方向に回転して支持受け状態を解離させ、テーブル板４を垂直姿勢とするための支持部材３４が蝶着される。
支持部材３４は、全体が正面視逆Ｌ字状に折曲形成された上面片と垂直片とからなり、蝶着側の上面片がテーブル板４を支持受けした際に、蝶番３３１に当接しないようＬ字状に切欠きされている。
これにより、テーブル板４は、受け片３２３により延出面域４１が基板２側に回り止め規制された状態で、支持部材３４によりテーブル板４の裏面を支持受けした状態で、その水平姿勢が維持され、支持部材３４の回転操作で支持受け状態を解離して下方に折り畳み回転させて蝶ネジ５に当接しない状態で垂直姿勢に変姿することができるようになっている。
【００１９】
次に、本発明の実施態様に係るサイドテーブル１を、ベッド６に設置して使用する態様について、図７に基づいて説明する。図中（Ａ）はベッドへの設置状態を示す斜視図、（Ｂ）は平面図であって、これら図に示すように、先ず、ベッド６の床板６１とマットレス６２との間に基板２を挟み込み挿入する。その際、ベッドサイドの空きスペースがテーブル板４の奥行き幅と略同幅のスペースしかない場合には、マットレス６２をずらして基板２を挟み込み挿入して設置すればよい。この挟み込み挿入させた設置状態のまま蝶ネジ５の緊締操作でテーブル板４の高さ調整を行なった後、テーブル板４の基端側となる延出面域４１のコーナー部を、床板６１とマットレス６２間に挟み込み挿入された基板２の位置合わせ調整で、図７（Ａ）に示すように支持柱３をマットレス６２に当接させた状態でヘッドボード６３の前面に当接させて配置させ、または、図７（Ｂ）に示すように支持柱３をマットレス６２から離間させた状態でヘッドボード６３の側面に当接させて配置するかの何れかのポジションに位置合わせ調整してセッティングすれば設置完了である。
【００２０】
つまり、テーブル板４には延出面域４１が形成されているので、その高さ位置調整は次のように行うことができる。
（１）支持柱３をマットレス６２に当接させた状態では、
・マットレス６２とサイドボード６４とが段差無く面一タイプのベッド６であつても、延出面域４１の側面をヘッドボード６３の前面に当接させることができる。
・テーブル板４の高さ位置を、図７（Ａ）に示すように、延出面域４１の下面域をマットレス６２に接触させてコーナー部を覆う位置に調整して、マットレス６２を延出面域４１と基板２により挟み込んだ隙間の無い状態となり、側面への当接と共により安定した設置状態とすることができる。
したがって、テーブル板４への不用意な接触があっても位置ズレや回り止め規制がなされ、テーブル板４上に置かれた小物類の落下に対する抑止機能を向上させることができるだけでなく、延出面域４１の無いものに比し、テーブル板４とマットレス６２間に指などを挟んでしまうことを防止する防止機能を向上させることができる。
【００２１】
（２）支持柱３をマットレス６２から離間させた状態では、
・延出面域４１のコーナー部の側面または前面の何れかを、ヘッドボード６３の前面または側面に対し選択的に当接配置できる。
・テーブル板４の高さ位置をマットレス６２の上面よりも低い位置に配置させて、延出面域４１の前面をマットレス６２の側面に当接させた配置が行え、側面への当接と共により安定した設置状態とすることができる。
したがって、テーブル板４への不用意な接触があっても位置ズレや回り止め規制がなされ、テーブル板４上に置かれた小物類の落下に対する抑止機能を向上させることができる。
（３）当接／離間何れの状態であっても、
・支持柱３を中心に基板２とテーブル板４が左右対称状に配設され勝手違いのない構成となっているので、テーブル板４の高さ位置をマットレス６２の上面よりも高い位置に配置させて、例えば、冬もの掛け布団が使用された際に、支持柱３を介してマットレス６２とテーブル板４との下面域に形成される空間域内に入り込ませて、より枕元側に引き上げらることができ、春夏秋冬の季節に応じて使用される掛け布団などの寝具状況に合わせて、任意の高さ位置となる空間幅を容易に変更することができる。
以上の様に、床板６１とマットレス６２間に挟み込み挿入された基板２の位置合わせ調整と、テーブル板４の高さ位置調整との組み合わせ設定で、種々のセットパターンをもって設置でき、ベッドの種類を含む設置状況変化に応じ、かつ好みに応じたセッティングが可能となり、その使い勝手を大幅に改善することができる。
【００２２】
叙述の如く構成された本発明の実施の形態において、いま、ベッド６のサイドの狭い空きスペースを利用して枕元側にサイドテーブル１を設置するのであるが、本発明にかかるサイドテーブル１は、床板６１とマットレス６２間に挟み込み挿入される基板２と、該基板２の基端側となる略中央部位に立設された支持柱３と、その上端側に取着されたテーブル板４とからなり、支持柱３を、昇降可能に構成せしめる一方、テーブル板４は、支持柱３を介して、マットレス６２よりも外側となる空間域にテーブル面が形成され、基板２とは背反する状態で互いに異方向に向けて配設せしめると共に、該テーブル板４の基端側コーナー部を、床板６１とマットレス６２間に挟み込み挿入された基板２の位置合わせ調整で、ヘッドボード６３の前面または側面に対し選択的に当接させて配置可能に構成されている。
【００２３】
この様に構成すると、テーブル板４をベッド６のサイドに配置して用いられるものでありながら、ベッド６のサイドにテーブル板４の奥行き幅となる狭い空きスペースさえあれば、引出し付きベット゛６であっても何ら開閉機能を損なうことなく床板下方の付加機能に影響を与えることなく種々のベッドに採用して設置することができると共に、その上下方向の空きスペースを利用して、マットレス６２の上面側となる上方位置における高さ調整だけでなく、マットレス６２の側面側となる下方位置までをテーブル板４の昇降ストローク域として設定することが可能となり、基板２とは背反する側に設けられたテーブル板４を、支持柱３を介して基板２を床板６１とマットレス６２間に挟み込み挿入させた設置状態のまま、その高さ位置を自由に調整操作することができる。
【００２４】
その結果、春夏秋冬の季節に応じて使用される掛け布団などの寝具状況に合わせて、任意の高さ位置となるマットレス６２とテーブル板４の下面域に形成される空間幅を容易に変更することができるだけでなく、マットレス６２の上面よりも低い位置にテーブル板４を配置したセットも可能とし得て、その使い勝手が大幅に改善されると共に、ベッドサイドの上下空間域を極めて有効的に活用することができ、しかも、テーブル板４の基端側コーナー部を、ヘッドボード６３の前面または側面に対し選択的に当接させた状態で配置できるので、テーブル板４への不用意な接触があっても位置ズレや回り止め規制がなされ、テーブル板４上に置かれた小物類の落下を抑止することができる。
【００２５】
また、テーブル板４は、支持柱３からマットレス面側に、そのコーナー部を覆うよう延出せしめた延出面域４１を有するので、その高さ位置調整によってマットレス６２を延出面域４１と基板２により挟み込んだ隙間の無い状態で、かつ、延出面域４１の側面をヘッドボード６３の前面に当接させた状態で位置決めセットでき、より安定した設置状態とすることができる。その結果、テーブル板４への不用意な接触があっても位置ズレや回り止め規制がなされ、テーブル板４上に置かれた小物類の落下を抑止することができ、しかも、ベッドサイド空のきスペースがテーブル板４の奥行き幅よりも若干狭くても、延出面域４１の面域分が充当され設置することができ適用範囲が拡大され、しかも、延出面域４１の無いものに比し、テーブル板４とマットレス６２間に指などを挟んでしまうことを防止することができる。
【００２６】
また、基板２は、板状の矩形パネルにて形成され、床板６１がサイドボード６４の上端面から面落ちするベッド６に使用した際に、その板厚端面がサイドボード６４の上端の段差部に係止される抜け止め規制板として機能させることができるので、テーブル板４への不用意な接触があっても、床板６１とマットレス６２との間に挟み込み挿入された基板２が確実に抜け止め規制されると共に、位置ズレや回り止め規制もなされ、より安定した設置状態とすることができる。
【００２７】
また、テーブル板４を、支持柱３に蝶番３３１を介して蝶着せしめ、基板２を床板６１とマットレス６２間に挟み込み挿入させた設置状態で、下方に回転ささせて折り畳み可能に構成されているので、ベッドサイドの空きスペースがテーブル板４の奥行き幅と略同幅のスペースしかない場合であっても、設置に際し、基板２とは背反する側のテーブル板４を折り畳んだ垂直姿勢状態で、基板２を床板６１とマットレス６２間に挟み込み挿入させてセットし、或いは取り外すことができ、その着脱操作が容易に行え、セット後直ちにテーブル板４を水平姿勢に変姿操作して使用状態とすることができるだけでなく、設置状態のまま折り畳めるので掃除などをする際に邪魔となることもない。
【００２８】
また、支持柱３は、基板２に設けられる下支柱３１とテーブル板４に設けられる上支柱３２とからなり、それぞれ着脱自在に連結し、該上支柱３２と下支柱３１の脱着操作で、テーブル板４を、基板２側に向けて反転配置可能に構成し、サイドテーブル１を床面に自立させることができるようになっているので、基板２を床板６１とマットレス６２間への挟み込み挿入ができないベッド６や、卓上照明スタンドなどを置くための自立型サイドテーブル１としても使用することができ、更なる使用態様のバリエーション化を図ることができる。
【符号の説明】
【００２９】
１      サイドテーブル
２      基板
２１    平板
２２    保護シート
３      支持柱
３１    下支柱
３１１  ネジ孔
３１２  取付け片
３２    上支柱
３２１  長孔
３２２  取付け片
３２３  受け片
３３    ブラケット
３３１  蝶番
３３２  蝶番
３４    支持部材
４      テーブル板
４１    延出面域
５      蝶ネジ
５１    リング部材
６      ベッド
６１    床板
６２    マットレス
６３    ヘッドボード
６４    サイドボード
【図１】
2015204893.tif 000003
【図２】
2015204893.tif 000004
【図３】
2015204893.tif 000005
【図４】
2015204893.tif 000006
【図５】
2015204893.tif 000007
【図６】
2015204893.tif 000008
【図７】
2015204893.tif 000009